(57)【特許請求の範囲】
【請求項１】
長手方向に沿って溝部を有する複数の長尺な排水溝部材が、建造物における平場の一端縁に沿って縦列に設けられて、前記複数の排水溝部材の溝部により排水溝が形成される一方、隣接する排水溝部材の対向端部間に沿って、その対向端部を覆うように防水性の継ぎ目シートが敷設される建造物における平場端縁の排水溝構造において、
前記排水溝の溝底部に、隣接する排水溝部材の対向端部間をまたがるように凹陥部が形成され、
前記凹陥部は、プレス加工により形成され、平面視において、円形、楕円形、長円形等の角のない外周形状を有し、
前記凹陥部の深さが、前記継ぎ目シートの厚さに対応して形成され、
前記継ぎ目シートが排水溝の長手方向において前記凹陥部内に配置されてなることを特徴とする建造物における平場端縁の排水溝構造。
【請求項２】
前記建造物は、前記平場の一端縁に沿って立上り状に設けられる立上り壁と、前記平場及び立上り壁間に沿って設けられる躯体溝とを有し、
前記排水溝部材は、その溝部が上向きコ字状の溝型形状に形成され、その溝部の一側壁上端に前記平場の一端縁に対応して水平フランジが設けられるとともに、溝部の他側壁上端に前記立上り壁の下端縁に対応して垂直フランジが設けられ、
前記排水溝部材は、その溝部が前記躯体溝に収容配置された状態で、水平フランジが前記平場の上面における一端縁に沿って固定されるとともに、垂直フランジが前記立上り壁の内壁面における下端縁に沿って固定され、
前記平場の上面に敷設された平場用防水シートの一端縁が前記水平フランジに接合されるとともに、前記立ち上がり壁の内壁面に敷設された立上り壁用防水シートの下端縁が前記垂直フランジに接合されてなる請求項１記載の建築物における平場端縁の排水溝構造。
【発明の詳細な説明】
【０００１】
【発明の属する技術分野】
本発明は、例えば、シート防水施工された屋上やベランダ等における平場及び立上り壁間に好適に採用される建築物における平場端縁の排水溝構造に関する。
【０００２】
【従来の技術】
図４に示すように、シート防水施工されるビル屋上は、コンクリート躯体からなる平場（３０）と、平場（３０）の外周端縁に沿って立上り状に設けられ、コンクリート躯体からなるパラペット等の立上り壁（３１）とを有しており、平場（３０）と立上り壁（３１）との間に沿って、排水溝（１０）が設けられる。
【０００３】
図４及び図５に示すように、このような排水溝（１０）を形成するための排水溝部材（１）は、通常、長手方向に沿って設けられた上向きコ字型の溝部（１１）と、その溝部（１１）の一側壁（１２ａ）の上端に、平場（３０）の一端縁に対応して一体に形成された水平フランジ（１３ａ）と、溝部（１１）の他側壁（１２ｂ）の上端に、立上り壁（３１）の下端縁に対応して一体に形成された垂直フランジ（１３ｂ）とを有している。この排水溝部材（１）は、防水シート固定用の部材としての機能を果たすものもあり、例えば、鋼板等の金属製芯層の表裏両面に塩化ビニル樹脂等の合成樹脂を積層された塩ビ鋼板等の長尺な樹脂被覆鋼板により構成される。
【０００４】
そして、この排水溝部材（１）を用いて排水溝（１０）を形成する場合、まず、平場（３０）と立上り壁（３１）との間に設けられた躯体溝（３２）に一の排水溝部材（１）の溝部（１１）を収容するとともに、その垂直フランジ（１３ｂ）を立上り壁（３１）の下端縁に沿わせて、水平フランジ（１３ａ）を平場（３０）の一端縁に沿わせて配置し、その状態で図示しないタッピングビスや開脚釘等の固着具を用いて、排水溝部材（１０）の両フランジ（１３ａ）（１３ｂ）を平場（３０）及び立上り壁（３１）に固定する。
【０００５】
次いで、同様にして、複数の排水溝部材（１）を縦列に配置して固定し、継ぎ目シート（２）を、隣接する排水溝部材（１）の対向端部間の隙間（ｓ）に沿ってその対向端部を覆うように配置し、その状態で排水溝部材（１）に熱融着や溶剤溶着により接合一体化する。こうして、縦列配置された複数の排水溝部材（１）の溝部（１１）により排水溝（１０）が形成される。
【０００６】
その後、平場（３０）の上面を覆うように防水シート（３３ａ）を配置し、その防水シート（３３ａ）の一端縁を排水溝部材（１）の水平フランジ（１３ａ）の表面層樹脂及び継ぎ目シート（２）に、熱融着又は、溶剤溶着により接合一体化して固定する。一方において、立上り壁（３１）の壁面を覆うように防水シート（３３ｂ）を配置し、その防水シート（３３ｂ）の下方端縁を排水溝部材（１）の垂直フランジ（１３ｂ）の表面層樹脂及び継ぎ目シート（２）に前記同様に固定する。こうして、排水溝周辺がシート防水施工されて、従来の排水溝構造が形成される。
【０００７】
【発明が解決しようとする課題】
しかしながら、図６に示すように、上記従来の排水溝構造は、排水溝部材（１）の対向端部間の隙間（ｓ）に沿ってその対向端部を覆うように継ぎ目シート（２）を配置しているため、継ぎ目シート（２）の厚み分だけ前記溝底部と継ぎ目シート（２）との間に段差を生じ、この段差により排水溝（１０）を流れる水が堰き止められて継ぎ目シート（２）の勾配上方向側に水溜まり（５０）が形成される。このように、水溜まり（５０）が形成されると、美観を低下させることとなる。また、水溜まり（５０）の水が引いた後でも、雨水に混入した泥や埃が残存して排水溝（１０）の溝底部に付着し、一段と美観を低下させるという問題を有する。
【０００８】
本発明は、上記従来技術の問題を解消し、建造物における平場端縁の防水性を維持しつつ、良好な排水性を得ることができて、水溜まりが形成されるのを防止することができる排水溝構造を提供することを目的とする。
【０００９】
【課題を解決するための手段】
本発明は、上記の目的において、長手方向に沿って溝部を有する複数の長尺な排水溝部材が、建造物における平場の一端縁に沿って縦列に設けられて、前記複数の排水溝部材の溝部により排水溝が形成される一方、隣接する排水溝部材の対向端部に、その対向端部を覆うように防水性の継ぎ目シートが敷設される建造物における平場端縁の排水溝構造において、前記排水溝の溝底部に、隣接する排水溝部材の対向端部間をまたがるように凹陥部が形成され、前記継ぎ目シートが長手方向において前記凹陥部内に配置されてなることを要旨とする。
【００１０】
この発明においては、溝底部に形成した凹陥部内に継ぎ目シートを配置するものであるため、溝底部に継ぎ目シートの厚さによる段差が形成されるのを防止することができる。このため、排水構内を水が堰き止められることなくスムーズに流通し、水溜まりの形成を防止することができる。
【００１１】
本発明は、シート防水施工されるビルの屋上やベランダ等における平場と立上り壁との間に好適に採用することができる。
【００１２】
即ち、本発明は、前記建造物は、前記平場の一端縁に沿って立上り状に設けられる立上り壁と、前記平場及び立上り壁間に沿って設けられる躯体溝とを有し、前記排水溝部材は、その溝部が上向きコ字状の溝型形状に形成され、その溝部の一側壁上端に前記平場の一端縁に対応して水平フランジが設けられるとともに、溝部の他側壁上端に前記立上り壁の下端縁に対応して垂直フランジが設けられ、前記排水溝部材は、その溝部を前記躯体溝に収容配置した状態で、水平フランジが前記平場の上面における一端縁に沿って固定されるとともに、垂直フランジが前記立上り壁の内壁面における下端縁に沿って固定され、前記平場の上面に敷設された平場用防水シートの一端縁が前記水平フランジに接合されるとともに、前記立ち上がり壁の内壁面に敷設された立上り壁用防水シートの下端縁が前記垂直フランジに接合されてなるものを好適に採用することができる。
【００１３】
ところで、排水溝部材の溝底部に、例えば、平面視において角を有する短形状等の外周形状とした凹陥部をプレス加工により形成すると、該角近傍において応力集中を生じ、破断する恐れがある。換言すれば、凹陥部を平面視において角のない外周形状とすることにより、破断を防止しつつ、プレス加工により凹陥部を容易に形成することができる。
【００１４】
即ち、本発明は、前記凹陥部が平面視において、円形、楕円形、長円形等の角のない外周形状を有することを好適に採用することができる。
【００１５】
【発明の実施の形態】
図１は、本発明の実施形態であるビル屋上の平場（３０）と立上り壁（３１）との間の排水溝構造を示す断面図、図２は、該排水溝構造における排水溝部材の連結部周辺の斜視図である。
【００１６】
両図に示すように、この排水溝構造には、本実施形態特有の排水溝部材（１）が採用される。この排水溝部材（１）は、上記従来と同様、所定の長さを有する樹脂被覆鋼板からなり、長手方向に沿う板状の溝底部（１２ｃ）の両端縁に沿って、立上り状に両側壁（１２ａ）（１２ｂ）が一体形成された溝型形状の溝部（１１）と、その溝部（１１）の一側壁（１２ａ）上端に前記平場（３０）の一端縁に対応して一体形成された水平フランジ（１３ａ）と、溝部（１１）の他側壁（１２ｂ）上端に前記立上り壁（３１）の下端縁に対応して一体形成された垂直フランジ（１３ｂ）とを有している。
【００１７】
また、この排水溝部材（１）における溝底部（１２ｃ）の両側端部には、平面視半長円形の凹陥部（３ａ）（３ａ）が形成されて、複数の排水溝部材（１）を縦列に配置する場合に、対応する凹陥部（３ａ）（３ａ）によって、隣り合う排水溝部材（１）の対向端部間をまたぐように平面視長円形の凹陥部（３）が形成される。
【００１８】
本実施形態において、凹陥部（３ａ）の形成方法は、特に限定するものではないが、加工容易なプレス加工により成形するのが好ましい。
【００１９】
更に、凹陥部（３）の平面視における形状は、特に限定するものでないが、プレス加工により凹陥部（３）を形成する場合には、円形、楕円形、長円形等の角のない外周形状を好適に採用することができる。即ち、平面視において角を有する外周形状とした凹陥部（３）をプレス加工により成形する場合に、該角近傍において破断を生じる恐れがある。
【００２０】
また、凹陥部（３）は、排水溝部材（１）の長手方向において、少なくとも継ぎ目シート（２）の幅を超えるものでなければならない。即ち、凹陥部（３）が継ぎ目シート（２）の幅に満たないものである場合には、凹陥部（３）内に継ぎ目シート（２）を配置できず、溝底部（１２ｃ）に継ぎ目シート（２）の厚みによる段差が形成されて、水溜まりの形成を防止することができない。
【００２１】
更に、凹陥部（３）の深さは、継ぎ目シート（２）の厚さに対応して設定するのが好ましい。即ち、凹陥部（３）を継ぎ目シート（２）の厚さに対応して設定することにより、凹陥部（３）内に配置される継ぎ目シート（２）と溝底部（１２ｃ）との間に段差が形成されるのを確実に防止することができる。なお、言うまでもなく、凹陥部（３）が深すぎると、凹陥部（３）の勾配下方向側において、凹陥部（３）と溝底部（１２ｃ）との間に段差が形成されて水溜まりが形成される恐れがある。
【００２２】
そして、本実施形態の排水溝構造を形成する場合、従来の排水溝構造と同様に施工する。
【００２３】
まず、平場（３０）と立上り壁（３１）との間の躯体溝（３２）に一の排水溝部材（１）の溝部（１１）を収容配置するとともに、その垂直フランジ（１３ｂ）を立上り壁（３１）の内壁面の下端縁に沿わせて、水平フランジ（１３ａ）を平場（３０）の上面における一端縁に沿わせて配置し、その状態でタッピングビスや開脚釘等の固着具（３４）（３５）を用いて、排水溝部材（１）のフランジ（１３ａ）（１３ｂ）を平場（３０）及び立上り壁（３１）に固定する。
【００２４】
次いで、他の排水溝部材（１）を、前記一の排水溝部材（１）と一定の隙間（ｓ）を設けるように配置し、前記と同様に平場（３０）及び立上り壁（３１）に固定する。なお、隣り合う排水溝部材（１）の間には、通常、排水溝部材（１）の熱膨張等を考慮して、一定の隙間（ｓ）を設けるようにしている。
【００２５】
同様にして複数の排水溝部材（１）を縦列に配置して固定し、継ぎ目シート（２）を、隣接する排水溝部材（１）の対向端部間の隙間（ｓ）に沿ってその対向端部を覆うように配置し、その状態で、熱融着、溶剤溶着により接合一体化する。このとき、継ぎ目シート（２）は、上記したように、排水溝部材（１）の長手方向において、凹陥部（３）内に配置されている必要がある。
【００２６】
ここで、継ぎ目シート（２）としては、防水シート（３３ａ）（３３ｂ）と同じ材質のもの、例えば、ポリ塩化ビニル系樹脂、ポリオレフィン系樹脂等の合成樹脂からなるものが好適に採用される。
【００２７】
継ぎ目シート（２）を取り付けた後は、図１に示すように、平場（３０）の上面を覆うように平場用防水シート（３３ａ）を配置し、その防水シート（３３ａ）の一端縁を排水溝部材（１）の水平フランジ（１３ａ）の表面層樹脂及び継ぎ目シート（２）に、熱融着又は溶剤溶着により接合一体化して固定する。一方において、立上り壁（３１）の壁面を覆うように立上り壁用防水シート（３３ｂ）を配置し、その防水シート（３３ｂ）の下端縁を排水溝部材（１）の垂直フランジ（１３ｂ）の表面層樹脂及び継ぎ目シート（２）に、前記同様に固定する。こうして本実施形態の排水溝構造が形成される。
【００２８】
本実施形態の排水溝構造においては、図３に示すように、排水溝（１０）の溝底部（１２ｃ）に、隣接する排水溝部材（１）の対向端部間をまたがるように凹陥部（３）が形成され、継ぎ目シート（２）が排水溝部材（１）の長手方向において凹陥部（３）内に配置されているため、継ぎ目シート（２）の厚み分の高さによる溝底部（１２ｃ）と継ぎ目シート（２）との間に段差が形成されず、溝底部（１２ｃ）上面が平滑面に形成される。このため、排水溝（１０）を流れる水は、スムーズに所定の排水口に導かれる。従って、排水溝（１０）の溝底部（１２ｃ）に水溜まりが形成されることなく、良好な美観を得ることができる。
【００２９】
また、本実施形態の排水溝部材（１）では、水溜まりが形成されないことから、水に混入する泥や埃は、水とともに排水溝（１０）を流動して除去される。従って、排水溝底部（１２ｃ）において泥や埃が残存して付着することがなく、良好な美観を維持することができる。
【００３０】
更に、本実施形態の排水溝部材（１）では、絞り加工等のプレス加工によって形成しているため、凹陥部（３）と溝底部（１２ｃ）との間に継ぎ目がなく、防水性に優れている。
【００３１】
【発明の効果】
以上のように、この発明の建造物における平場端縁の排水溝構造によれば、排水溝の溝底部に、隣接する排水溝部材の対向端部間をまたがるように凹陥部が形成され、継ぎ目シートが排水溝部材の長手方向において凹陥部内に配置されているため、前記継ぎ目シートの厚み分の高さによる溝底部と継ぎ目シートとの間の段差が形成されない。このため、良好な排水性を得ることができ、排水溝の溝底部に水溜まりが形成されることなく、良好な美観を得ることができるばかりでなく、排水溝底部において泥や埃が残存して付着することがなく、より一層良好な美観を得ることができるという効果がある。
【００３２】
また、本発明を建造物における平場の一端縁と立ち上がり壁との間に採用する場合、上記の効果をより確実に得ることができるという利点がある。
【００３３】
また、本発明において、凹陥部を平面視において円形、楕円形、長円形等の角のない外周形状とする場合、前記凹陥部を破断を防止しつつ、プレス加工により容易に形成することができ、より簡単に排水溝部材を製造することができるという利点がある。
【図面の簡単な説明】
【図１】この発明の実施形態である建造物における平場端縁の排水溝構造を示す縦断面図である。
【図２】上記排水溝構造における排水溝部材の連結部周辺を示す斜視図である。
【図３】図１のIII−III線断面図である。
【図４】従来の建造物における平場端縁の排水溝構造を示す縦断面図である。
【図５】上記従来の排水溝構造における排水溝部材の連結部周辺を示す斜視図である。
【図６】図４のVI−VI線断面図である。
【符号の説明】
１・・・排水溝部材
２・・・継ぎ目シート
３・・・凹陥部
１０・・・排水溝
１１・・・溝部
１２ａ・・・側壁（一側壁）
１２ｂ・・・側壁（他側壁）
１２ｃ・・・溝底部
１３ａ・・・水平フランジ
１３ｂ・・・垂直フランジ
３０・・・平場
３１・・・立上り壁
３２・・・躯体溝
３３ａ・・・平場用防水シート
３３ｂ・・・立上り壁用防水シート
【図１】
0004421738.tif 000002
【図２】
0004421738.tif 000003
【図３】
0004421738.tif 000004
【図４】
0004421738.tif 000005
【図５】
0004421738.tif 000006
【図６】
0004421738.tif 000007